(57)【要約】【課題】抗菌効果を持ち、細菌の繁殖を防ぐことができる手帳用またはダイアリ用の装丁シートとする。【解決手段】少なくともプラスチック材料を原料とし、抗菌剤が添加されて成形されたプラスチックシートから構成される装丁シート１２とし、この装丁シート１２を用いて手帳またはダイアリ１０とする。【選択図】図１
0003129671.tif 000002
【実用新案登録請求の範囲】
【請求項１】
手帳用またはダイアリ用の装丁シートであって、
少なくともプラスチック材料を原料とし、抗菌剤が添加されて成形されたプラスチックシートから構成されることを特徴とする手帳用またはダイアリ用の装丁シート。
【請求項２】
請求項１記載の装丁シートを有する手帳。
【請求項３】
請求項１記載の装丁シートを有するダイアリ。
【考案の詳細な説明】
【技術分野】
【０００１】
本考案は、手帳用またはダイアリ用の装丁シート及びその装丁シートを用いた手帳及びダイアリに関する。
【背景技術】
【０００２】
手帳またはダイアリは、通常手で扱うために、手に付着した細菌などがその表側にある装丁シートに付着しやすく、また、身に着けて保持される場合が多いために付着した細菌が体温で温められて繁殖される可能性があり、さらに繁殖した細菌が手を媒介として体内に侵入する可能性もある。
【考案の開示】
【考案が解決しようとする課題】
【０００３】
しかしながら、従来は装丁シートに付着した細菌に考慮した手帳やダイアリは存在していない。
【０００４】
本考案は、かかる課題に鑑みなされたもので、その目的は、抗菌効果を持ち、細菌の繁殖を防ぐことができる手帳用またはダイアリ用の装丁シート並びにその装丁シートを用いた手帳及びダイアリを提供することである。
【課題を解決するための手段】
【０００５】
前述した目的を達成するために、請求項１記載の考案は、手帳用またはダイアリ用の装丁シートであって、少なくともプラスチック材料を原料とし、抗菌剤が添加されて成形されたプラスチックシートから構成されることを特徴とする。
【０００６】
請求項２記載の考案は、請求項１記載の装丁シートを有する手帳であることを特徴とする。
【０００７】
請求項３記載の考案は、請求項１記載の装丁シートを有するダイアリであることを特徴とする。
【考案の効果】
【０００８】
本考案によれば、抗菌剤の効果により、細菌の増殖を抑制することができるために、手帳やダイアリを安心して衛生的に手で扱うことができる。
【考案を実施するための最良の形態】
【０００９】
以下、図面を用いて本考案の実施の形態を説明する。尚、本考案は下記実施形態に限定されるものではない。
【００１０】
図１は本考案の手帳の実施形態を表す全体斜視図である。この手帳またはダイアリ１０は、表紙となる装丁シート１２が用いられている。尚、「ダイアリ」及び「手帳」共にスケージュール管理を行うためのノートブックであるが、「ダイアリ」は「手帳」よりも大型サイズのものを指す。
【００１１】
装丁シート１２は、プラスチックシートから構成され、プラスチックシートは、ビニル系またはオレフィン系プラスチック材料を主原料として成形される。例えば、ポリ塩化ビニル、ポリエチレン、ポリプロピレン、ＥＶＡ等を原料とすることができる。ビニル系プラスチックシートの配合例としては、例えば、次のようなものとすることができる。
【００１２】
ポリ塩化ビニル  ６５重量（質量）％〜  ７０重量（質量）％
可塑剤          ２８重量（質量）％〜  ３５重量（質量）％
充填剤            ３重量（質量）％〜    ６重量（質量）％
安定剤            ２重量（質量）％〜    ５重量（質量）％
発泡剤            ０重量（質量）％〜    ５重量（質量）％
着色剤            ２重量（質量）％〜    ３重量（質量）％
【００１３】
また、オレフィン系プラスチックシートの配合例としては、例えば、次のようなものとすることができる。
【００１４】
ＥＶＡ          ６５重量（質量）％〜  ７０重量（質量）％
スチレン・ブタジエン共重合物    ２８重量（質量）％〜  ３５重量（質量）
充填剤            ３重量（質量）％〜    ６重量（質量）
安定剤            ２重量（質量）％〜    ５重量（質量）
発泡剤            ０重量（質量）％〜    ５重量（質量）
着色剤            ２重量（質量）％〜    ３重量（質量）
【００１５】
そして、プラスチックシートには、上記配合に加えて抗菌剤が添加されている。抗菌剤としては、無機系抗菌剤と有機系抗菌剤とがあり、いずれも使用可能である。無機系抗菌剤としては、銀、銅、亜鉛、アルミニウムその他の金属または金属化合物の金属イオンを有機酸及び界面活性剤などで分散・安定させたものを用いることができる。
プラスチックシートの製造工程としては、カレンダー成形法、Ｔダイ押し出し成形法又はインフレーション成形法等を用いることができる。
【００１６】
プラスチックシートは、単層構造または複数の層からなる積層構造とすることができる。例えば、図４（ａ）に示すように、プラスチックシートは、布、不織布からなる裏地１８を基層として、その上に発泡層１６及びトップ層１４が積層された積層構造としたり、図４（ｂ）の裏地無しの積層構造としたり、または図４（ｃ）の発泡層なしの単層構造とすることができる。抗菌剤２０は、積層構造の場合には最表側のトップ層１４にのみ抗菌剤を添加することができ、または、トップ層１４と発泡層１６のいずれにも添加することができ、または、単層全体に添加することができる。
【００１７】
抗菌剤は、層全体の配合の３〜７重量（質量）％を添加するとよい。
【００１８】
抗菌剤をトップ層のみに添加する場合、トップ層１４の厚みを発泡層１６の厚みより薄くするとよく、積層構造全体の厚みに対するトップ層１４の厚みの比は０．１〜０．２程度とするとよい。トップ層１４と発泡層１６の具体的厚みとしては、それぞれ０．１〜０．２ｍｍ、０．７〜１．０ｍｍ程度とすることができる。これによって、抗菌剤２０が最表側層であるトップ層１４内で埋没せずに、装丁シート１２の表面において、抗菌作用を効果的に発揮することができる。
【００１９】
以上のように成形されたプラスチックシートを必要な形状に金型で裁断することにより、装丁シート１２を構成することができる。
【００２０】
この装丁シート１２から差し込み方式の手帳またはダイアリを製造する場合には、図３に示すように、この装丁シート１２の裏面側の両側においてそれぞれポケット部２２の３辺を装丁シート１２の縁部に沿って高周波溶着、超音波溶着または縫製によって一体化する。ポケット部２２は、装丁シート１２の一部を折り返すことによって構成してもよく、または装丁シート１２と同じ種類のプラスチックシートであるが別体のプラスチックシートを用いて構成してもよく、または別の材料からなるプラスチックシートを用いてもよい。ポケット部２２には、抗菌剤の添加の有無は任意である。そして、手帳本体またはダイアリ本体２４をポケット部２２と装丁シート１２との間に差し込み、完成する。
【００２１】
また、装丁シート１２から貼り合わせタイプの手帳またはダイアリを製造する場合には、装丁シート１２の裏面側に、手帳本体またはダイアリ本体２４の表表紙と裏表紙を貼り合わせることにより、完成する。
【００２２】
完成した手帳またはダイアリ１０は、抗菌剤が添加されていることにより、細菌の繁殖を抑えることができて、安心して衛生的に使用することができる。
【実施例１】
【００２３】
プラスチック材料としてポリ塩化ビニル樹脂、充填剤として炭酸カルシウムを用い、可塑剤、安定剤、着色剤をバンパリー加熱混練りしてコンパウンドとし、次いで、ミキシングロールに発泡剤を投入して、発泡剤をコンパウンドに練り込み、カレンダーによって裏地に貼り合わせて発泡層を作製する。次いで、プラスチック材料としてポリ塩化ビニル樹脂、充填剤として炭酸カルシウムを用い、可塑剤、安定剤、着色剤をバンパリー加熱混練りしてコンパウンドとし、次いで、ミキシングロールに無機系抗菌剤を投入して、抗菌剤をコンパウンドに練り込み、カレンダーによって発泡層に貼り合わせてトップ層を作製する。その後、発泡炉を通して発泡層の発泡を行い、プラスチックシートを成形する。
【００２４】
このプラスチックシートをＪＩＳＬ１９０２の定量試験（菌液吸収法）に準拠して抗菌性試験を行った。
【００２５】
（１）試験菌株：黄色ぶどう球菌
【００２６】
【表１】
0003129671.tif 000003
【００２７】
（２）試験菌株：ＭＲＳＡ
【００２８】
【表２】
0003129671.tif 000004
【００２９】
（３）試験菌株：大腸菌
【００３０】
【表３】
0003129671.tif 000005
【００３１】
（４）試験菌株：緑膿菌
【００３２】
【表４】
0003129671.tif 000006
【００３３】
以上より、静菌活性値が２．２以上を示すことが分かった。よって、このプラスチックシートから構成した装丁シートは、十分な抗菌効果を期待することができることが分かった。
【図面の簡単な説明】
【００３４】
【図１】本考案の装丁シートを用いた手帳またはダイアリの実施形態を表す全体斜視図である。
【図２】図１の装丁シートの斜視図である。
【図３】図１の装丁シートの内側から見た展開図である。
【図４】装丁シートの断面図である。
【符号の説明】
【００３５】
１０  手帳またはダイアリ
１２  装丁シート
１４  トップ層（最表側層）
２０  抗菌剤
【図１】
0003129671.tif 000007
【図２】
0003129671.tif 000008
【図３】
0003129671.tif 000009
【図４】
0003129671.tif 000010